(57)【要約】本発明は、少なくとも２個の資源単位が割り当てられている無線リンクを通したデータの送信用の無線資源を選択するための方法および装置に関する。割当資源単位から少なくとも１個の資源単位が選択され、この選択は、割当資源単位の品質測定の値がある範囲に含まれるかどうかのチェックの結果に応じて定められる。【選択図】なし【特許請求の範囲】
【請求項１】
少なくとも２個の資源単位（２０５）を含む資源単位の組が割り当てられている無線リンク（１１５）を通したデータの送信用の無線資源を選択する方法であって、
割り当てられた前記資源単位の品質測定の値がある範囲に含まれるかどうかをチェック（４２０；５１５）することと、
前記資源単位の組から少なくとも１個の資源単位を選択（４４０；５２５）することと、その場合前記選択は前記チェックの結果にしたがって行われることと
を含む方法。
【請求項２】
前記チェックは、資源単位に関連して、前記資源単位の信号対干渉雑音比または信号対雑音比に非線形的に依存する関数の値を決定することを含む、先行する請求項のいずれか１項に記載の方法。
【請求項３】
前記非線形関数の値は前記品質測定の値である、請求項２に記載の方法。
【請求項４】
前記非線形関数の値は前記範囲の少なくとも１つの境界を決定するのに使用される、請求項２に記載の方法。
【請求項５】
前記非線形関数は受信符号化ビット情報レートである、請求項２〜４のいずれか１項に記載の方法。
【請求項６】
前記非線形関数は情報のスループットの測定である、請求項２〜４にいずれか１項に記載の方法。
【請求項７】
前記選択のステップは、割り当てられた前記資源単位についての第２の品質測定の値を決定することを含み、
前記選択は、前記第２の品質測定の値に応じて、および前記ある範囲に含まれる前記第１の品質測定の決定値の数に応じて、行われる、
先行する請求項のいずれか１項に記載の方法。
【請求項８】
選択された前記資源単位に対して均一送信電力を決定することと、
少なくとも１個の選択された前記資源単位の前記送信電力を前記均一送信電力に設定することと
をさらに含む先行する請求項のいずれか１項に記載の方法。
【請求項９】
前記チェックのステップは、
前記品質測定の決定値の中で前記品質測定の最適値を識別することと、
前記範囲のより低い境界を、前記品質測定の値と前記品質測定の最適値との間の容認可能な差を定める項を前記最適値から引くことにより得られる値に設定することと
を含む、
請求項１〜８のいずれか１項に記載の方法。
【請求項１０】
前記項は、前記組内の前記資源単位の信号対干渉雑音比値または信号対雑音比値の分布に依存する値を有する、請求項９に記載の方法。
【請求項１１】
前記項は、前記組の前記資源単位の信号対干渉雑音比値の分布に独立の値を有する、請求項９に記載の方法。
【請求項１２】
項は、［０．３；０．５］の範囲にある不変値を有する、請求項５に従属する場合の請求項１１に記載の方法。
【請求項１３】
前記無線リンクの要求が、選択された前記資源単位により満たされるかどうか、をチェック（６００）することと、
満たされない場合には、前記組内の少なくとも１個の前記資源単位についてリンク適合を変化（６０５）させることと、
前記チェックおよび選択ステップを行うことと
をさらに含む先行するいずれか１項に記載の方法。
【請求項１４】
少なくとも２個の資源単位（２０５）の組が割り当てられている無線リンク（１１５）を通したデータの送信用の無線資源を選択するためのコンピュータプログラム製品であって、
割り当てられた前記資源単位の品質測定の値がある範囲に含まれるかどうかをチェック（４２０；５１５）するステップと、
前記資源単位の組から少なくとも１個の資源単位を選択（４４０；５２５）するステップと、その場合前記選択は、前記チェックの結果に応じて行われることと、
を、コンピュータ手段上で動作する場合に実行するように動作可能なコンピュータプログラム符号を含む、
コンピュータプログラム製品。
【請求項１５】
無線基地局（１１０）に装填されるように構成される記憶手段であって、前記記憶手段上に請求項１４に記載のコンピュータプログラム製品を格納した記憶手段。
【請求項１６】
少なくとも２個の資源単位（２０５）の組が割り当てられている無線リンク（１１５）を通したデータの送信用の無線資源を選択する装置（１２５）であって、
割り当てられた前記資源単位の品質測定の値がある範囲に含まれるかどうかをチェックするように構成されるチェック手段と、
前記チェックの結果に応じて、前記資源単位の組から少なくとも１個の資源単位を選択するように構成される選択手段と
を備える装置。
【請求項１７】
前記チェック手段は、資源単位に関係して、前記資源単位の信号対干渉雑音比または信号対雑音比に非線形的に依存する関数の値を決定するように構成される決定手段を備える、請求項１６に記載の装置。
【請求項１８】
前記非線形関数は、受信符号化ビット情報レートである、請求項１６または１７に記載の装置。
【請求項１９】
選択された前記資源単位に対して均一送信電力を決定し、選択された前記資源単位の前記送信電力を前記均一送信電力に設定するように構成される送信電力割当手段
をさらに備える請求項１７〜１８のいずれか１項に記載の装置。
【請求項２０】
無線リンク要求が、前記選択資源単位により満たされるかどうか、をチェックし、要求チェック結果を生成するように構成される要求チェック手段と、
前記要求チェック結果が前記要求が満たされていないことを示す場合、前記組内の少なくとも１個の前記資源単位のリンク適合を変更するように構成されるリンク適合変更手段と
をさらに備える請求項１６〜１９のいずれか１項に記載の装置。
【請求項２１】
請求項１６〜２０のいずれか１項に記載の装置を備える、移動無線通信システム（１００）において移動局（１０５）と通信するための無線基地局（１１０）。
【請求項２２】
請求項１７〜２１のいずれか１項に記載の装置を含む移動無線通信システム。
【発明の詳細な説明】
【技術分野】
【０００１】
本発明は、広く移動無線通信に関し、特に無線リンクを通した情報の送信のための資源単位（Ｒｅｓｏｕｒｃｅ  Ｕｎｉｔ）の選択に関する。
【背景技術】
【０００２】
無線帯域幅は不十分な資源であり、使用可能な無線資源をどのように効率的に活用するかが、移動無線通信における一般的な関心である。
【０００３】
直交周波数分割接続（Ｏｒｔｈｏｇｏｎａｌ  Ｆｒｅｑｕｅｎｃｙ  Ｄｉｖｉｓｉｏｎ  Ａｃｃｅｓｓ：ＯＦＤＭ）のようなマルチキャリア、マルチスロットシステムにおいて、システムが使用可能な無線資源は、チャンクとも呼ぶ資源単位に分割される。このようなシステム内の無線リンクは、１つよりも多くの資源単位上で同時に送信するようにスケジュールされることが可能である。
【発明の開示】
【０００４】
本発明が関する課題は、移動無線通信システム内の帯域幅活用をどのように改善するかである。
【０００５】
この課題は、少なくとも２個の資源単位を含む資源単位の組が割り当てられている無線リンクを通したデータの送信用の無線資源を選択する方法により処理される。この方法は、割当資源単位の品質測定の値がある範囲に含まれるかどうかをチェックすることと、資源単位の組から少なくとも１個の資源単位を選択することとを含み、選択はチェックの結果にしたがって行われる。
【０００６】
ここで達成されるのは、全部の割当資源単位が送信に使用されている場合よりも情報の結果のスループットが高いように、割当資源単位のサブセットが送信用に選択されてもよいということである。
【０００７】
チェックは、資源単位に関連して、資源単位の信号対干渉雑音比に非線形的に依存する関数の値を決定することを含むことが有利である。信号対干渉雑音比の非線形関数をチェックに用いることにより、この方法は、資源単位の信号対干渉雑音比の値が知られている場合、広く変化する信号対干渉雑音比分布を有する異なる組にうまく応用可能である。非線形関数の値は、品質測定の値である場合、または範囲の少なくとも１つの境界を定めるのに用いられる場合がある。
【０００８】
この側面の一実施形態において、非線形関数は受信符号化ビット情報レートである。受信符号化ビット情報レートを非線形関数として用いることにより、範囲の長さは不変である場合があり、ゆえに割当資源単位の組内で信号対干渉雑音比分布に対し独立であることを、シミュレーションが示す。さらに、受信符号化ビット情報レートの使用法は、不正確なチャネル品質推定に対するこの方法の低い感度を与える。言い換えると、受信符号化ビット情報レートを非線形関数として使用する場合のこの方法は、チャネル品質推定にエラーがあるとしても、適した資源単位選択を与える。
【０００９】
本発明のこの側面の第２の実施形態において、非線形関数は資源単位の情報のスループットの測定である。情報のスループットは、エンドユーザにエクスペリエンスされる無線リンクの品質にほぼリンクしており、ゆえに、この実施形態における非線形関数の値は、エンドユーザがエクスペリエンスするであろうサービスの質を適切に反映する。
【００１０】
本発明の一側面において、この方法は、選択資源単位に対して均一送信電力を決定することと、少なくとも１個の資源単位の送信電力を均一送信電力に設定することとをさらに含む。ここで達成されるのは、選択処理における計算上の複雑さが低く保たれることである。
【００１１】
本発明の別の側面において、この方法は、無線リンクの要求が選択資源単位により満たされているかどうかをチェックすることと、満たされていない場合には、組内の少なくとも１個の資源単位に対してリンク適合を変更することとをさらに含む。次に選択およびチェックのステップは繰り返される。本発明のこの側面において、選択処理は繰り返し可能であって、無線リンクに設定された要求を選択資源単位が満たすように、適切な変調／符号化スキームを有するを資源単位の選択が識別可能となるまで、資源単位の変調および／または符号化スキームは繰り返しの間で調節される。
【００１２】
本発明の一側面において、選択ステップは、割当資源単位に対して第２の品質測定の値を定めることを含む。この側面において、選択は、第２の品質測定の値に応じて、およびある範囲に含まれる第１の品質測定の決定値の数に応じて行われる。ここで達成されるのは、送信に使用される資源単位の適した数が、組内のチャネル品質の分布に影響を受けにくいように、正確に決定可能であり、したがって送信される実際の資源単位が、エンドユーザに知覚されるサービスの質を適切に反映する品質測定に基づき選択可能であるということである。
【００１３】
本発明の別の側面において、チェックステップは、品質測定の決定値の中で品質測定の最適値を識別することと、品質測定の値と品質測定の最適値との間の容認可能な差を定める項を最適値から引くことで得られる値に範囲のより低い境界を設定することとを含む。ここで達成されるのは、割当資源単位の組内での品質測定値の分布の要求にこの範囲を採用する簡単な方法である。
【００１４】
この側面の一実施形態において、項は、組内の資源単位の信号対干渉雑音比値の分布に依存する値を有する。別の実施形態においては、項は不変値である。項の不変値を有することは単純で計算上効率がよい範囲決定方法を与え、一方で項を組内の資源単位の品質に依存させることにより、情報送信レートがより高くなり得るように、送信用の資源単位が選択可能である。
【００１５】
課題は、さらに、本発明の方法を実行するためのコンピュータプログラム製品により、および少なくとも２個の資源単位が割り当てられている無線リンクを通したデータの送信用の無線資源を選択するための装置により処理される。装置は、資源単位の信号対干渉雑音比に非線形的に依存する品質測定の値を定めるように構成される品質測定決定手段と、品質決定手段に定められた割当資源単位の品質測定値に応じて、割当資源単位から少なくとも１個の資源単位を選択するように構成される選択手段とを備える。この装置は無線基地局に有利に実装可能である。
【発明を実施するための最良の形態】
【００１６】
本発明およびその利点をより完全に理解するために、添付図面と関連して、以下の詳細な説明を参照することにする。
【００１７】
移動無線通信システム１００を図１に概略的に説明する。移動局１０５は、無線リンク１１５を通して無線基地局と通信可能である。無線基地局１１０は、この図には示していないコアネットワークに接続されている。無線基地局１１０によりサービスが行われる地理的エリアを、しばしばセル１２０と呼ぶ。
【００１８】
無線リンク１１５は、概して音声電話、およびデータ送信セッションに使用可能である。以下では、電話、およびデータ送信セッションを、セッションと呼ぶことにする。
【００１９】
無線基地局１１０と移動端末１０５との間の通信に使用可能な無線資源は、しばしば複数の資源単位に分割される。資源単位は、無線リンク１１５に割り当て可能な最小単位であり、しばしば送信フォーマットが不変である最小単位である。図２において、資源単位の概念を、時間周波数分割多元接続（Ｔｉｍｅ  ａｎｄ  Ｆｒｅｑｕｅｎｃｙ  Ｄｉｖｉｓｉｏｎ  Ｍｕｌｔｉｐｌｅ  Ａｃｃｅｓｓ：ＴＤ／ＦＤＭＡ）にしたがって動作するシステム１１０について説明する。無線リンク１１５のタイムフレーム２００が、継続時間（ｔｉｍｅ  ｄｕｒａｔｉｏｎ）Ｔｆｒａｍｅおよび周波数範囲（ｆｒｅｑｕｅｎｃｙ  ｓｐａｎ）Ｆｆｒａｍｅを有するように説明されている。図２のタイムフレームは、複数の資源単位２０５のみからなるように説明されており、各資源単位２０５は継続時間Ｔｕｎｉｔ＝Ｔｆｒａｍｅおよび帯域幅Ｆｕｎｉｔ＝Ｆｆｒａｍｅ／Ｎを有し、ここでＮはタイムフレーム２００の資源単位２０５の数である。同じ周波数帯域を使用するが、異なるタイムフレーム２００において生じる資源単位２０５を、以下ではチャネルと呼ぶ。同システムにおいて、資源単位２０５は無線リンク１１５にタイムフレームごとをもとに割り当て可能であり、同じ無線リンク１１５にスケジュールされた異なるタイムフレームにおける資源単位２０５はしばしば異なるチャネル２１０に属する。
【００２０】
図２により与えられる例は、周波数分割多元接続に基づくシステム１００におけるタイムフレーム２００がどのように資源単位２０５に分割され得るかの一例である。多元接続を与える他の方法に基づくシステム１００においては、資源単位２０５は他の数量により定義され得る。例えば、符号分割多元接続に基づくシステム１００においては、資源単位２０５は、時間および拡散符号という数量により定義される場合がある。以下では、説明のためにのみ、時間周波数分割多元接続にしたがって動作するシステム１００で本発明を説明する。
【００２１】
いくつかの移動無線通信システム１００においては、無線リンク１１５は１つよりも多くの無線ユニット２０５上で同時に送信されるようにスケジュール可能である。さらに、無線リンク１１５を通して送信可能である全電力の上限がしばしば存在する。無線リンク１１５を通して送信される全電力は、無線リンク１１５の異なる資源単位２０５に異なる方法で割り当てられることが可能である。例えば、無線リンクに使用可能である各無線資源の送信電力レベルが同じであるところの均一電力割当てが用いられてもよい。しかしながら、均一電力割当てを用いると、高品質の無線資源の容量は最適活用できない。無線品質が異なる資源単位間で異なることから、スケジューリング処理において無線リンクに割り当てられている無線資源の送信容量を最も活用するためには、異なる資源単位において異なる電力レベルで送信することが有利である場合がある。
【００２２】
本発明によれば、スケジューリング処理において無線リンク１１５に割り当てられている資源単位２０５は、全部が送信に使用される必要はないのだが、送信条件がより好ましくない資源単位２０５のいくつかの送信電力は、零に設定可能である。無線リンク１１５を通る送信に使用される資源単位２０５、すなわち零ではない送信電力が割り当てられるべきである資源単位２０５は、無線リンク１１５に割り当てられている資源単位２０５の品質測定（ｑｕａｌｉｔｙ  ｍｅａｓｕｒｅ：ＱＭ）とは独立に選択されることが好ましい場合がある。品質測定の範囲は、ここではＱＭ範囲（ＱＭ‐ｒａｎｇｅ）と呼ぶが、割り当てられた資源単位２０５の品質測定の値の分布にしたがって定める場合がある。ＱＭ範囲内の品質測定値ＱＭを有する資源単位２０５の数が、送信に使用される資源単位２０５の好適な数を表すという方式で、ＱＭ範囲を定める場合もある。送信に使用されるべき資源単位２０５の数Ｋを定めるこのようなＱＭ範囲は、資源単位２０５が属するチャネルの最新取得の、あるいは瞬間の、品質測定に（または品質測定の統計分布に）基づくことが有利である場合がある。したがって送信に使用されるべきＫ個の資源単位の選択は、ＱＭ範囲の定められた中において、使用可能な資源単位２０５に使用される品質測定ＱＭのそれぞれの値に基づく場合がある。
【００２３】
選択資源単位２０５は、均一電力レベルで送信されることが有利である場合があり、送信用のこの均一電力レベルは、無線リンク１１５の資源単位２０５上で送信される総電力が無線リンク１１５の最大電力レベルに等しいように選択されることが好ましい。同じ電力レベルを全選択資源単位２０５へ割り当てることにより、電力割当ては計算上単純で、短時間で計算できるようになる。しかしながら、選択資源単位２０５へ割り当てられた電力は、別の実施形態においては、最適な資源単位２０５は最高電力レベルで送信するなどのように、資源単位２０５の品質の値に依存する場合もある。送信電力を選択資源単位２０に割り当てる他の方法も使用可能である。
【００２４】
ＱＭ範囲は、品質測定の閾値ＱＭｔｈｒｅｓで定める場合がある。ＱＭｔｈｒｅｓより高い品質測定の値を有する資源単位２０５の数が、送信のために選択されるべき資源単位２０５の数を表す数Ｋであろう。ＱＭｔｈｒｅｓは、例えば品質測定の最高値ＱＭｍａｘを有する割当資源単位２０５の品質測定の値で定められ、項ΔＱＭは、資源単位２０５の品質測定がＱＭ範囲内になるように、ＱＭｍａｘと資源単位２０５の品質測定の値との間の最大差分を定め、以下のＱＭ範囲を与える。
［ＱＭｍａｘ−ΔＱＭ；ＱＭｍａｘ］・・・（１）
【００２５】
本発明のこの側面のある実施形態においては、項ΔＱＭの値は不変であり、無線リンク１１５に使用可能な資源単位２０５の品質測定の値の分布に依存しない。しかしながら、ΔＱＭは、資源単位２０５の選択が行われる度に新しい値を選択的にとる場合もあり、また例えば、無線リンク１１５に使用可能な資源単位２０５の信号対干渉雑音比分布の関数である場合もある。ＱＭｍａｘとΔＱＭとの間の関係が必ずしも単調関数である必要はないということを、シミュレーションが示している。例えば、ＱＭｍａｘの高および低い値に対して、ΔＱＭの値がＱＭｍａｘの中間値よりも低くなるというように、ΔＱＭの値はＱＭｍａｘに依存する場合がある。あるいは、ΔＱＭの適当な値が反復により得られる場合もある。使用可能な資源単位２０５に関係（１）を応用することにより資源単位２０５を反復選択し、反復の間にΔＱＭを変化させることによって、目下の送信要求を満たす資源単位２０５の選択を与えるΔＱＭの値が取得可能である。使用可能な資源単位２０５の品質測定の値の分布にしたがってΔＱＭの値が調節されるところの実施形態において、好ましくは、ＱＭ範囲内に含まれる品質測定の値を有する資源単位２０５の数Ｋが、Ｋ＋１個の資源単位２０５がＱＭ範囲に含まれているようにΔＱＭが定められる場合（Ｋ＋１個の資源単位２０５の各々の資源電力の低下を考慮に入れた場合で、この低下は、最大送信電力を越えないようにという制限による）よりも、高い全送信資源を与えるように、ΔＱＭが選択されるべきである。
【００２６】
ＱＭ範囲を定めるには代替方法が応用される場合もある。例えば、品質測定の最小値ＱＭｍｉｎにより定められる半開区間のＱＭ範囲［ＱＭｍｉｎ；∞）が使用される場合、または品質測定の平均値ＱＭｍｅａｎを用いて定められる半開区間のＱＭ範囲［ＱＭｍｅａｎ；∞）が使用される場合がある。
【００２７】
多くの品質測定は、送信信号電力に依存する受信信号電力ＥＳで定められる。ゆえに、使用可能な資源ユニット２０５の品質測定の値を定める際には、異なる資源単位の品質測定値を比較可能にするために、全部の資源単位２０５に同じ送信信号電力が推定される。
【００２８】
ＱＭ範囲を定める際に使用される品質測定は、例えば資源単位２０５の信号対干渉雑音比（干渉が全く生じない理想的なシステムにおいては信号対雑音比）の線形関数である場合がある。しかしながらエンドユーザに受信されるサービスの品質（例えばスループットで測定される）は、信号対干渉雑音比の線形写像でない。信号対干渉雑音比の線形関数である品質測定を用いてＱＭ範囲が定められると、最適ＱＭ範囲は、割当資源単位２０５の組の信号対干渉雑音比分布の影響をかなり受けやすく、大きな範囲の異なる信号対干渉雑音比分布に対して適当なＱＭ範囲が取得可能であるところの、式（１）により定められる関数などのような線形関数を定めることは一般的に不可能である。
【００２９】
したがって、信号対干渉雑音比の非線形関数である品質測定でＱＭ範囲を定めることが一般的に有利である。このような品質測定は、例えば受信符号化ビット情報レート（ｒｅｃｅｉｖｅｄ  ｃｏｄｅｄ  ｂｉｔ  ｉｎｆｏｒｍａｔｉｏｎ  ｒａｔｅ：ＲＢＩＲ）情報スループット（ｉｎｆｏｒｍａｔｉｏｎ  ｔｈｒｏｕｇｈｐｕｔ：ＴＨ）、相互情報（ｍｕｔｕａｌ  ｉｎｆｏｒｍａｔｉｏｎ：ＭＩ）、またはシャノン容量（Ｓｈａｎｎｏｎ  ｃａｐａｃｉｔｙ）などの可能性がある。上述の品質測定の関数および組合せを含む、信号対干渉雑音比の他の非線形関数が、代わりに品質測定として使用される場合もある。
【００３０】
（受信符号化ビット情報レート）
本発明の一実施形態によれば、受信符号化ビット情報レート（ＲＢＩＲ）とも呼ばれる、符号化ビットごとの正規化相互情報で、ＱＭ範囲は定められる。受信符号化ビット情報レートＲＢＩＲは、チャネルが理想的である場合に、ある変調スキームが応用される資源単位２０５のある熱雑音レベルでの情報送信効率の測定である。ＲＢＩＲは、ＱＭ範囲を定める際に使用するのに効果的な品質測定である、ということを数的研究が示している。
【００３１】
資源単位ｊの変調次数がＭｊであるところの変調および符号化スキームを仮定すると、資源単位ｊに対する受信符号化ビット情報レートＲＢＩＲｊは、
ＲＢＩＲｊ＝Ｉ（γｊ）／Ｍｊ・・・（２）
ように定められ、ここでＩ（γｊ）は、変調されたシンボルレベル相互情報であり、γｊは、資源単位ｊが属するチャネルの信号対雑音比であり、すなわち以下である。
γｊ＝（ＥＳ／Ｎ０）ｊ・・・（３）
ここでＥＳは受信信号電力であり、Ｎ０は熱雑音である。干渉がチャネル上でエクスペリエンスされるところの非理想的なシステムにおいて、ＲＢＩＲを計算するのには信号対干渉雑音比がγの代わりに使用される場合もある。
【００３２】
変調されたシンボルレベル相互情報Ｉ（γｊ）は資源単位ｊに対して以下のように定められる。
【００３３】
【数１】
2009515466.tif 000002
ここで変調シンボルＸはある変調群（ｍｏｄｕｌａｔｉｏｎ  ｃｏｎｓｔｅｌｌａｔｉｏｎ）に属し、受信シンボルＹはＹ＝（ＹＲ＋ｉ＊ＹＩ）∈Ｃであり、ここでＣは複素数の集合である。数式（４）において、Ｐ（Ｘ）はＸの先験確率である。Ｐ（Ｙ｜Ｘ，γｊ）は、送信シンボルＸを条件として且つ信号対雑音比γｊによりパラメータ化されるＹの確率濃度関数である。ＵＸはＸの任意の分布に対するＩ（γ）の平均値であり、ＵＸＹはＸおよびＹの任意の分布に対するＩ（γ）の平均値である。
【００３４】
関係式（１）にしたがって、受信符号化ビット情報レートＲＢＩＲに基づいてＱＭ範囲を定める閾値は、例えば以下のように表すことが可能である。
ＲＢＩＲｔｈｒｅｓ＝ＲＢＩＲｍａｘ−ΔＲＢＩＲ・・・（５）
ここでＲＢＩＲｍａｘは、無線リンク１１５に使用可能な資源単位２０５の最高ＲＢＩＲを有する資源単位２０５のＲＢＩＲであり、ΔＲＢＩＲは、資源単位ｊのＲＢＩＲ値がＱＭ範囲に含まれるように、送信資源単位ｊのＲＢＩＲｊとＲＢＩＲｍａｘとの間の容認可能な差を定める項である。ゆえに、ＱＭ範囲は、ＲＢＩＲ閾値ＲＢＩＲｔｈｒｅｓを用いて表すことが可能であり、資源単位２０５が次式のＱＭ範囲に含まれるように、資源単位２０５のＲＢＩＲはＲＢＩＲｔｈｒｅｓを超えている必要がある。
［ＲＢＩＲｍａｘ−ΔＲＢＩＲ；ＲＢＩＲｍａｘ］・・・（６）
【００３５】
この実施形態においてＱＭ範囲を定める代替方法が応用される場合もある。例えば、資源単位２０５のＲＢＩＲが不変値を超えるかどうかをチェックする際の基準が使用される場合、または、使用可能な資源単位２０５のＲＢＩＲ値の平均値を超えるＲＢＩＲ値を有する全資源単位２０５のＲＢＩＲ値がＱＭ範囲に含まれるように定められた基準が使用される場合がある。
【００３６】
式（６）における不変値ΔＲＢＩＲは大きな範囲の資源単位分布に良い結果を与える、ということを数的研究が示している。図３は、範囲［０；ＲＢＩＲｍａｘ］内のＲＢＩＲの均一分布に不変値ΔＲＢＩＲを用いることにより、または式（６）で定められるＱＭ範囲に含まれるＲＢＩＲ値を有する資源単位２０５を送信資源単位２０５として選択することにより得られた数的結果を説明している。図３において、スループットＴＨ（上部のグラフ）およびスループット損失ＴＨｌｏｓｓ（下部のグラフ）は、それぞれＲＢＩＲｍａｘ値１．０（左端のグラフ）、０．７（中央のグラフ）、０．５（右端のグラフ）を有する資源単位２０５の３つの異なる分布に対するΔＲＢＩＲの関数として説明されている。スループットＴＨおよびスループット損失ＴＨｌｏｓｓは以下のように定められる。
【００３７】
【数２】
2009515466.tif 000003
ここでＭは変調次数であり、Ｃは符号化レートであり、ＢＬＥＰはブロックエラー確率（Ｂｌｏｃｋ  Ｅｒｒｏｒ  Ｐｒｏｂａｂｉｌｉｔｙ）であり、ＴＨｒｅｆは、完全リンク適応が応用されている場合の基準スループットである。図３において、ＴＨｒｅｆおよびＴＨは、ΔＲＢＩＲの関数として示されており、ここではＴＨｒｅｆの方が高い値である。ＴＨを得るために、変調次数におよび符号化レートに資源単位分布内で単一の値が使用されたが、一方で、ＴＨｒｅｆを得るために、資源単位ごとに個別に変調次数および符号化レートが適応された。
【００３８】
図３から分かるように、３つの異なる資源単位分布に対してＴＨｌｏｓｓはΔＲＢＩＲ範囲［０；０．５］内で５％より小さく、変調次数および符号化レートの単一の値はこの範囲で十分に良いＴＨ値を与える。範囲［０．３；０．５］内のΔＲＢＩＲ値が有利であり、範囲［０．３；０．４］内の値は特に良い結果を与えることを、数的研究が示している。ゆえに、この範囲内の不変ΔＲＢＩＲ値は、割当資源単位２０５の組の信号対干渉雑音比分布の大きな範囲に良い結果を与えるであろう。しかしながら、式（１）と関連してさらに説明するように、他の不変ΔＲＢＩＲ値を代わりに使用されてもよく、またはΔＲＢＩＲは、代わりに、資源単位２０５の選択が行われる度に新しい値をとる場合もある。
【００３９】
ＱＭ範囲を決定可能な品質測定としてのＲＢＩＲ使用法の数的研究は、チャネルの品質推定が完全ではなく、信号対雑音比γの入手可能な値がγの実際の値の不十分な近似である場合でさえも、この方法が良い結果を与えるということを示す。これは、ΔＲＢＩＲの値が不変である（資源単位２０５の信号対雑音比分布に依存しない）という場合でもそうである。ゆえに、送信のための資源単位２０５を選択する方法は、チャネル推定におけるエラーについて強固である。
【００４０】
等式（４）を用いるよりも、代わりに等式（４）の近似を用いて、変調されたシンボルレベル相互情報の値Ｉ（γｊ）を得ることも可能である。等式（４）は多くの方法で近似可能であるが、そのうちいくつかを以下に提示する。Ｉ（γｊ）の値を得るのに使用可能である近似式の一例は、式（７）により与えられ、この式（７）は符号化送信に対し合併チェルノフ境界（Ｕｎｉｏｎ  Ｃｈｅｒｎｏｆｆ  ｂｏｕｎｄ）に基づいている。
【００４１】
【数３】
2009515466.tif 000004
ここでγｍは任意の群に対する変調調節要因であり、Ｍは変調次数である。
【００４２】
等式（４）の他の近似は、例えば以下のように二位相偏移変調（Ｂｉｎａｒｙ  Ｐｈａｓｅ  Ｓｈｉｆｔ  Ｋｅｙｉｎｇ：ＢＰＳＫ）カットオフレートに基づく場合もある。
【００４３】
【数４】
2009515466.tif 000005
【００４４】
または、以下のように統合シャノン情報定理（ｕｎｉｆｉｅｄ  Ｓｈａｎｎｏｎ  ｉｎｆｏｒｍａｔｉｏｎ  ｔｈｅｏｒｙ）、すなわち実数ガウス入力を用いた加法的白色ガウス雑音（Ａｄｄｉｔｉｖｅ  Ｗｈｉｔｅ  Ｇａｕｓｓｉａｎ  Ｎｏｉｓｅ：ＡＷＧＮ）に基づく場合もある。
【００４５】
【数５】
2009515466.tif 000006
【００４６】
なお、例えば以下のような、変調されたシンボルレベル相互情報の他の近似が用いられてもよい。
【００４７】
【数６】
2009515466.tif 000007
ここで、（α，β）は任意の群に対する変調相殺指数（ｍｏｄｕｌａｔｉｏｎ  ｃｏｍｐｅｎｓａｔｉｏｎ  ｅｘｐｏｎｅｎｔ）である。
【００４８】
送信に用いる資源単位２０５の数を定めるための品質測定としてＲＢＩＲを用いる場合、信号対干渉雑音比γは、割当資源単位２０５に対して従来の方法で測定されることが好ましく、この測定から、式（２）を式（４）または（９〜１２）のいずれか１つと組み合わせて用いることにより、ＲＢＩＲ値が得られる。
【００４９】
（スループット）
ＱＭ範囲を決定する際に使用される場合がある信号対干渉雑音比の別の非線形関数は、デコーダの出力における情報のスループットＴＨである。このスループットＴＨは以下のように定められる。
ＴＨ＝Ｍ・Ｃ・（１−ＢＬＥＰ）・・・（１３）
ここでＭは変調次数であり、Ｃは符号化レートであり、ＢＬＥＰは瞬間ブロックエラー確率（Ｂｌｏｃｋ  Ｅｒｒｏｒ  Ｐｒｏｂａｂｉｌｉｔｙ）である。式（１）に関連して説明したとおり、ＴＨｔｈｒｅｓよりも高いスループットを与える資源単位２０５のいずれもＱＭ範囲に含まれるように、スループット閾値ＴＨｔｈｒｅｓを用いてＱＭ範囲を定めることが可能である（それぞれのスループット値を比較できるように、同じ送信電力を想定）。スループット閾値は、使用可能な資源単位２０５の最大スループット値ＴＨｍａｘと、式（１）に関連して説明した項Δｔｈとで定めることが可能であり、Δｔｈは不変であるか、
または使用可能な資源単位２０５のスループット値の分布に応じて得られる。ＱＭ範囲はしたがって［ＴＨｍａｘ；ＴＨｍａｘ−Δｔｈ］となるであろう。あるいはＱＭ範囲は、使用可能な資源のスループット値の平均値で定められる場合もある。
【００５０】
無線資源２０５のスループットの有効値を定める際、使用可能な無線資源２０５の信号対干渉雑音比は明示的に決定される必要がないが、スループットは、式（１３）から分かるとおり、ブロックエラー確率ＢＬＥＰを測定することにより定められる場合がある。
【００５１】
（シャノン容量）
なお、信号対雑音比に非線形的に依存し、ＱＭ範囲を定めることによっていくつの資源単位２０５が送信に使用されるべきかを定めるのに用いることができる別の品質測定が、シャノン容量である。シャノン容量とは、ＡＷＧＮ変調を想定し、符号化損失を考慮しない復調容量の上限である。シャノン容量ＣＳｈａｎｎｏｎは以下のように表される。
Ｃｓｈａｎｎｏｎ＝ｌｏｇ（１＋γ）
【００５２】
（信号対干渉雑音比）
なお、品質測定として用いることができる信号対干渉雑音比の別の関数が、以下のような信号対干渉雑音比（ＳＩＮＲ）そのものである。
【００５３】
【数７】
2009515466.tif 000008
ここでＥＳは受信信号電力であり、Ｉはチャネル上でエクスペリエンスされる干渉であり、Ｎ０は熱雑音である。式（１）に関連して説明したように、ＱＭ範囲はＳＩＮＲ閾値ＳＩＮＲｔｈｒｅｓで定めることが可能であり、また、資源単位２０５がＱＭ範囲に含まれるように、使用可能なチャネルのＳＩＮＲ値の中の最大ＳＩＮＲ値ＳＩＮＲｍａｘで、およびＳＩＮＲｍａｘと資源単位２０５のＳＩＮＲ値との間の容認可能な差の最大値を定める項ΔＳＩＮＲで、ＳＩＮＲｔｈｒｅｓは定めることが可能である。しかしながら、上述のように、信号対干渉雑音比の線形関数である品質測定を使用してＱＭ範囲が定められる場合、最適ＱＭ範囲は、割当資源単位２０５の組の信号対雑音比分布に影響をかなり受けやすい。ＳＩＮＲが品質測定として使用される場合は、したがって信号対雑音比分布に応じて非線形的にＱＭ範囲を定めることが有利であろう。ＱＭ範囲の上限および下限は、例えばＲＢＩＲ、または資源単位２０５の使用可能な組のスループット値を使用して、定められる場合があり、このように定められたＱＭ範囲に含まれるＳＩＮＲ値を有する使用可能な資源単位２０５は、送信資源単位２０５として選択可能である。
【００５４】
信号強度、干渉チャネルの強度、および熱雑音を測定することによる従来の方法で、各資源単位２０５に対してＳＩＮＲの値が得られる場合もある。
【００５５】
上述のように、無線リンク１１５に割り当てられている資源単位２０５のうち、いくつの資源単位２０５が送信に実際に使用されるべきかを定めるために、本発明にしたがってＱＭ範囲は使用される。送信資源単位２０５の数Ｋが定められると、使用されるべきＫ個の資源ユニット２０５の選択が行われる。ある実施形態においては、送信に使用されるＫ個の資源単位２０５は、第２の品質測定に応じて選択され、そのため第２の品質測定の最も有利な値を有する資源単位２０５が選択されるであろう。第２の品質測定はいかなる品質測定であってもよい。この実施形態の一例においては、ＱＭ範囲はＲＢＩＲを用いて定めることが可能であり、Ｋ個の資源単位２０５の選択は、資源単位２０５の信号対干渉雑音比に応じて実行可能である。ゆえにこの例においては、全部の使用可能な資源単位２０５のＲＢＩＲ値を計算し（特定の符号化および変調モードを想定。かかるモードは全部の資源単位２０５に対して同じであってもなくてもよい）、計算したＲＢＩＲ値がいくつＱＭ範囲に含まれるかをチェックすることにより、Ｋ個の送信資源単位は定められる。最高の信号対干渉雑音比を有するＫ個の資源単位２０５が、その後送信用に選択される。
【００５６】
本発明の別の実施形態においては、ＱＭ範囲に含まれる品質測定を有するＫ個の資源単位２０５が送信用に選択される。この実施形態においては、送信資源２０５の数Ｋを定めるステップと、送信資源２０５を選択するステップとが同時に行われる場合があり、数Ｋは明示的に定められる必要はないであろう。
【００５７】
図４のフローチャートは、本発明の方法の実施形態の一例を説明する。ステップ４００において、ＱＭ範囲に含まれる品質測定ＱＭの値を有する資源単位の数を表すカウンタＫが零に設定される。ステップ４０５において、ＱＭ範囲を定めるのに使用される品質測定ＱＭが全部の使用可能な資源単位２０５に対して計算され、それにより一連の値ＱＭｊがｊ＝１，……，Ｎにおいて得られ、ここでＮは使用可能な資源単位２０５の数である。ステップ４１０において、ＱＭ範囲が設定される。この設定は、ステップ４０５において計算されたＱＭ値に依存して行われる場合が好ましいが、ステップ４０５において定められたＱＭ値に独立して行われる場合もある。ステップ４１５において、カウンタｊが１に設定される。ステップ４２０が次に開始され、ここではＱＭｊがＱＭ範囲に含まれるかどうかがチェックされる。含まれない場合は、ステップ４２５が開始され、ここではカウンタｊが１だけインクリメントされる。しかしながら、ＱＭｊがＱＭ範囲に含まれる場合、ステップ４３０が開始され、ここではカウンタＫが１だけインクリメントされる。ステップ４２５が次に開始される。ステップ４３５において、カウンタｊが値Ｎを超えたかどうかチェックされる。もし超えていなければ、ステップ４２０が再び開始される。ｊがＮよりも大きい、すなわちステップ４２０のチェックが全部の使用可能な資源単位２０５に対して行われたことがステップ４３５において発見されたならば、ステップ４４０が開始され、ここでＫ個の資源単位が送信に選択される。Ｋ個の資源単位の選択は、第２の品質測定に応じて行われ、そのため第２の品質測定の最適値を有するＫ個の資源単位２０５が選択される。第２の品質測定は第１の品質測定に等しくても、異なる品質測定でもよい。第２の品質測定が第１の品質測定に等しい場合、図５および６に関連して参照することとなるが、カウンタＫは省略可能である。
【００５８】
上で示したように、ＱＭ範囲は、資源単位２０５の品質のいずれの測定でも定めることが可能である。しかしながら、説明を目的としただけのことなのだが、図５および６に関連して、ＱＭ範囲はＲＢＩＲで表されると想定する。さらに、送信用に選択される資源単位２０５は、ＱＭ範囲に含まれるＲＢＩＲ値を有する資源単位２０５であることが想定される。
【００５９】
図５は、無線リンク１１５に応用される場合の本発明の方法を概略的に説明するフローチャートである。図５において、異なる資源単位２０５の変調および符号化スキームがすでに決定されていると想定されている。さらに、異なる資源単位２０５の送信電力は、それぞれのＲＢＩＲ値の比較を可能とするために、均一の値に設定されている。図５の例においては、式（６）を用いてＱＭ範囲が定められ、ΔＲＢＩＲは、無線リンク１１５に使用可能な無線資源のＲＢＩＲ値に依存しない不変値である。ステップ５００において、無線リンク１１５に使用可能なＮ個資源単位ｊに対して、ＲＢＩＲ値ＲＢＩＲｊが計算され、ここでｊは１，……，Ｎの値をとる。ステップ５００において計算されたＲＢＩＲｊ値のうち最大ＲＢＩＲｊ値ＲＢＩＲｍａｘを識別することにより、ステップ５０５においてＱＭ範囲が定められる。ＲＢＩＲｍａｘがＱＭ範囲の上限として用いられ、ＲＢＩＲｍａｘ引く項ΔＲＢＩＲがＱＭ範囲の下限として用いられる。ステップ５１０において、カウンタｊが１に設定される。ステップ５１５において、ＲＢＩＲｊがＱＭ範囲に含まれるかどうかチェックされる。含まれない場合、ステップ５２０が開始され、ここでカウンタが１だけインクリメントされる。しかしながら、ステップ５１５においてＲＢＩＲｊがＱＭ範囲に含まれると発見されるならば、ステップ５２５において資源単位ｊが選択される。ステップ５２０が次に開始される。ステップ５３０において、カウンタｊがＮよりも大きいかどうかがチェックされる。もし大きい場合、この処理はステップ５３５において終了する。大きくない場合、ステップ５１５が再び開始される。
【００６０】
図５により説明される方法は、受信符号化ビット情報レートＲＢＩＲの値に基づいて、無線リンク１１５上の送信用の資源単位２０５の組を、無線リンク１１５上の送信に使用可能な資源単位２０５のより大きな組のうちから選択する方法である。ステップ５２５において選択されていない使用可能な資源単位ｊの送信電力は零に設定され、一方で、ステップ５２５において選択された資源単位ｊの送信電力は零ではない値に設定されるであろう。本発明の一実施形態においては、無線リンク１１５上の各送信資源単位２０５が同じ送信電力で送信することになるように、選択資源単位２０５の送信電力は均一値に設定されるであろう。送信電力のこの均一値は、全部の選択資源単位２０５の送信電力が無線リンク１１５の最大容認送信電力まで上がるように、選択されることが好ましい場合がある。本発明の別の実施形態においては、送信電力は、異なる資源単位２０５に、異なるＲＢＩＲ値に応じて割り当てられる場合もあり、または他のいかなる方法でも割り当て可能である。
【００６１】
図５の方法は様々な方法で行われ得る。例えば、資源単位２０５がそれぞれのＲＢＩＲ値にしたがって選別されるステップが導入される場合がある。そうすると、ステップ５１０〜５３０は、ＱＭ範囲に含まれない最高ＲＢＩＲ値が識別される手順に差し替えられる場合がある。すると、より高いＲＢＩＲｊを有する全部の資源単位ｊが送信用に選択される場合がある。
【００６２】
図５により説明される本発明の実施形態において、式（６）を用いてＱＭ範囲が定められる。上述のように、ＱＭ範囲は他の方法でも定めることが可能である。
【００６３】
上の関係式２〜９に見られるように、資源単位２０５のＲＢＩＲの値は、資源単位２０５に応用された変調モードに依存する。同変調モードは他のチャネル品質測定にもあてはまる。例えば、資源単位２０５のスループットは、資源単位２０５に応用される変調モードおよび符号化スキームに依存する。変調および符号化スキームは、品質が低下していく場合に情報の正しい送信を保証するように、および無線リンク１１５の品質が良い場合に高い情報スループットを与えるように、しばしば無線リンク１１５の品質に適合される。変調および／または符号化スキームのこのような適合は、しばしばリンク適合と呼ばれる。
【００６４】
図５により説明される手順において、異なる資源単位２０５の変調および符号化スキームがすでに決定されているということが想定される。しかしながら、図５の手順は反復手順において応用される場合もあり、その場合、使用可能な資源単位２０５の変調および／または符号化スキームは、適切な送信リンク適合を有する送信用資源単位２０５の組を識別するために、反復間で変化する。
【００６５】
図６において、送信用に選択されるべき資源単位２０５を発見する反復手順のフローチャートを説明する。ステップ５００〜５３０は、図５に関連して説明した方法のように行われる。ＱＭ範囲に含まれるＲＢＩＲｊを有する全部の資源単位ｊが識別されてしまうと、ステップ６００が開始される。ステップ６００において、反復要求が満たされているかどうかがチェックされる。満たされていなければ、ステップ６０５が開始され、ここでは使用可能な資源単位２０５の変調および符号化スキームが変更される。次にステップ５００が再び開始される。しかしながら、反復要求が満たされてしまったことがステップ６００において発見されたならば、ステップ５３５が開始され、ここで手順は終了する。最後の反復の間に選択された資源単位２０５が、次に無線リンク１１５上の送信に使用されるであろう。
【００６６】
ステップ６０５において行われる、使用可能な資源単位のリンク適合の変更は、異なる方法で行われる場合もある。ある実施形態においては、変調および／または符号化スキームは反復間で多少ランダムに変更される場合、または変調および符号化スキームを選択する既定のスキームにしたがって、次の反復で使用される新しい変調および／または符号化スキームが選択される場合がある。あるいは、新しい変調および／または符号化スキームは、前の反復が反復要求を満たすことからどのくらい近かったかに応じて、収束法で選択される場合もある。
【００６７】
ステップ６００において用いられた反復要求は、選択資源単位２０５が送信に使用されたならば、例えば無線リンク１１５にわたって得られた情報スループットの測定に基づく場合がある。反復要求は例えば以下のようになる場合がある。送信用に選択された資源単位２０５を用いて得られる情報スループットの測定が、無線リンク１１５を通して送信されるセッションに要求される情報スループットを少なくとも超えるべきである。新しい変調および符号化スキームが収束法で選択されるある実施形態において、反復要求は、例えば最後の２回の反復間の方法スループット測定間の最小差として定められる場合がある。変調および符号化スキームを選択する収束法を使用する際は、代わりに、最後の２回の反復において選択された資源単位２０５の数に差がない場合に、または最後の２回の反復において送信用に選択された資源単位２０５の２組の間の最大差より小さい場合に、反復要求が満たされるように、反復要求が定められる場合もある。他の反復要求が応用される場合もある。すなわち反復は、例えばある回数の反復の後に停止することが可能である。
【００６８】
送信用に選択された資源単位２０５に用いられる変調および符号化スキームは全部の資源単位２０５に対して均一である場合、または資源単位２０５が属するチャネルの品質測定にしたがって資源単位２０５間で変化する場合がある。変調および／または符号化スキームが資源単位２０５間で変化することを可能とすると、リンク適合は各資源単位２０５に対してより高い精度で行われることが可能となる。しかしながら、均一な変調および符号化スキームを、無線リンク１１５を通した送信に同時に使用される資源単位２０５に用いることにより、処理における計算上の複雑さは低減される。
【００６９】
図５および６により説明される無線リンク１１５を通した送信用の資源単位２０５を発見する手順において、ＱＭ範囲は例えば式（６）により定められる場合がある。ＱＭ範囲がΔＲＢＩＲを用いて決定される場合、ΔＲＢＩＲは不変値に設定可能である。あるいは、反復手順は最適ΔＲＢＩＲを発見するのに用いられる場合もある。
【００７０】
第１の品質測定、ＱＭ範囲、または第２の品質測定がリンク適合に依存する場合は、品質測定および／またはＱＭ範囲がリンク適合に依存するところのいかなる実施形態、またはＫ個の送信資源単位２０５が第１の品質測定により定められ、Ｋ個の資源単位２０５が第２の品質測定に応じて選択される場合のいかなる実施形態にも、図６のリンク適合の反復応用は応用可能である。ＱＭ範囲がリンク適合に依存しない場合は、ステップ５０５は図６の第２のおよびさらなる反復から省略可能である。同様に、用いられた品質測定の値がリンク適合に依存しない場合も、ステップ５００の均等ステップは省略される。
【００７１】
送信用の資源単位を選択する、本発明の方法は、無線リンク１１５のアップリンクおよびダウンリンク部の両方に使用される場合がある。
【００７２】
本発明によれば、システム１００は、少なくとも２個の資源単位２０５が割り当てられている無線リンク１１５を通した送信に使用されるべきである資源単位２０５を選択するための選択装置を備える。選択装置は、システム１００の無線基地局１１０に実装されることが有利である場合がある。図１において、無線基地局１１０は、選択装置１２５を備えるように説明されている。選択装置１２５は、代わりに、基地局制御部または同様のノードに実装される場合、移動局１０５と無線基地局１１０との間に位置する中継ノードに実装される場合、またはシステム１００内のどこかに実装される場合がある。選択装置１２５は、品質測定ＱＭが得られる使用可能な資源単位２０５のチャネル品質の測定を受信するように構成可能である。選択装置１２５は、無線リンク１１５のアップリンクおよびダウンリンク部の両方のチャネル品質の測定を受信するように構成可能であり、無線リンク１１５のアップリンクおよびダウンリンク部の両方に資源単位２０５を選択するように構成可能である。選択装置１２５は、ソフトウェアおよびそのソフトウェアが動作するコンピュータハードウェアとして実施されることが有利である場合がある。選択装置１２５が移動局１０５に実装される場合もある。このことは、無線リンク１１５を通した送信にどのチャネル２１０を使用するか移動局１０５が選択し得るシステム１００においては特に有効である可能性がある。
【００７３】
無線リンクが１個より多くの（同時）資源単位２０５を割り当てられることが可能であるところの直交周波数分割接続（ＯＦＤＭ）を使用するシステムなどのマルチキャリアシステムに本発明は有利に応用可能である。このようなシステムの例は、３ＧＰＰロングタームエボリューション（Ｌｏｎｇ  Ｔｅｒｍ  Ｅｖｏｌｕｔｉｏｎ：ＬＴＥ）規格、ＷｉＭａｘ規格、および４ＧまたはＢ３Ｇ規格をもとにした通信システムである。
【００７４】
当業者であれば、本発明は、添付図面及び上述の詳細な説明に開示された実施形態に限定されるものではなく、これらの添付図面及び詳細な説明は、本発明を説明する目的のものであり、本発明は様々な方法で実施可能であって、本発明は特許請求の範囲によってのみ限定されるということを、了解するであろう。
【図面の簡単な説明】
【００７５】
【図１】移動無線通信システムを概略的に説明する。
【図２】多くの資源単位を含むタイムフレームを説明する。
【図３】資源単位の３つの異なる分布の数的研究により得られたΔＲＢＩＲの関数としてスループットおよびスループット損失を示す。
【図４】送信用の資源単位を選択する、本発明の方法を概略的に説明するフローチャートである。
【図５】ＱＭ範囲を定め、送信用の選択資源単位を選択するのにＲＢＩＲが用いられるところの本発明の一実施形態を概略的に説明するフローチャートである。
【図６】送信用に選択されるべきである資源単位を発見する反復手順の一実施形態を説明する概略的にフローチャートである。ここで、資源単位の変調および／または符号化スキームは反復間で変更される。
【図１】
2009515466.tif 000009
【図２】
2009515466.tif 000010
【図３】
2009515466.tif 000011
【図４】
2009515466.tif 000012
【図５】
2009515466.tif 000013
【図６】
2009515466.tif 000014
【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
少なくとも２個の資源単位（２０５）を含む資源単位の組が割り当てられている無線リンク（１１５）を通したデータの送信用の無線資源を選択する方法であって、
割り当てられた前記資源単位の品質測定の値がある範囲に含まれるかどうかをチェック（４２０；５１５）することと、
前記資源単位の組から少なくとも１個の資源単位を選択（４４０；５２５）することと、その場合前記選択は前記チェックの結果にしたがって行われることと
を含む方法。
【請求項２】
前記チェックは、資源単位に関連して、前記資源単位の信号対干渉雑音比または信号対雑音比に非線形的に依存する関数の値を決定することを含む、先行する請求項のいずれか１項に記載の方法。
【請求項３】
前記選択のステップは、割り当てられた前記資源単位についての第２の品質測定の値を決定することを含み、
前記選択は、前記第２の品質測定の値に応じて、および前記ある範囲に含まれる前記第１の品質測定の決定値の数に応じて、行われる、
請求項１または２に記載の方法。
【請求項４】
前記無線リンクの要求が、選択された前記資源単位により満たされるかどうか、をチェック（６００）することと、
満たされない場合には、前記組内の少なくとも１個の前記資源単位についてリンク適合を変化（６０５）させることと、
前記チェックおよび選択ステップを行うことと
をさらに含む請求項１〜３のいずれか１項に記載の方法。
【請求項５】
コンピュータに少なくとも２個の資源単位（２０５）の組が割り当てられている無線リンク（１１５）を通したデータの送信用の無線資源を選択することを実行させるためのコンピュータプログラムであって、
割り当てられた前記資源単位の品質測定の値がある範囲に含まれるかどうかをチェック（４２０；５１５）するステップと、
前記チェックするステップの結果に応じて、前記資源単位の組から少なくとも１個の資源単位を選択（４４０；５２５）するステップとを、コンピュータに実行させるためのコンピュータプログラム。
【請求項６】
無線基地局（１１０）に装填されるように構成される記録媒体であって、請求項５に記載のコンピュータプログラムを記録したコンピュータ読み取り可能な記録媒体。
【請求項７】
少なくとも２個の資源単位（２０５）の組が割り当てられている無線リンク（１１５）を通したデータの送信用の無線資源を選択する装置（１２５）であって、
割り当てられた前記資源単位の品質測定の値がある範囲に含まれるかどうかをチェックするように構成されるチェック手段と、
前記チェックの結果に応じて、前記資源単位の組から少なくとも１個の資源単位を選択するように構成される選択手段と
を備える装置。
【請求項８】
請求項７に記載の装置を備える、移動無線通信システム（１００）において移動局（１０５）と通信するための無線基地局（１１０）。
【請求項９】
請求項８に記載の装置を含む移動無線通信システム。
【国際調査報告】
2009515466.tif 000015
2009515466.tif 000016
2009515466.tif 000017